【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】音響再生装置および方法
【手続補正２】
【補正対象書類名】明細書
【補正対象項目名】特許請求の範囲
【補正方法】変更
【補正の内容】
【特許請求の範囲】
【請求項１】
複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
特定モードにおいて音像を定位させる位置である基準位置から前記各スピーカまでの距離を入力する距離入力手段とを備え、
前記設定手段は、前記距離入力手段から入力された距離に基づいて、モード毎に各スピーカの増幅レベルおよび遅延時間を求めて記憶することを特徴とする音響再生装置。
【請求項２】
複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
特定モードにおいて音像を定位させる位置である基準位置に配置されるとともに、前記スピーカからの再生音を検出する再生音検出手段とを備え、
前記設定手段は、前記スピーカに特定信号を出力して再生させるとともに、前記再生音検出手段の検出結果に基づいて前記スピーカから再生された再生音が前記再生音検出手段に到達するまでの到達時間をスピーカ毎に求め、求めた到達時間に基づいて前記基準位置からスピーカまでの距離を求め、求めた距離に基づいてモード毎に各スピーカで再生させる音響信号の増幅レベルおよび遅延時間を求めて記憶することを特徴とする音響再生装置。
【請求項３】
車両に搭載され、複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
特定モードにおいて音像を定位させる位置である基準位置から前記各スピーカまでの距離を入力する距離入力手段とを備え、
前記設定手段は、前記距離入力手段から入力された距離に基づいて各スピーカと基準位置との距離を比較して運転席の位置を判断し、当該運転席の位置に基づいて各モードの音像を定位させる位置を決定し、モード毎に各スピーカで再生させる音響信号の増幅レベルおよび遅延時間を求めて記憶することを特徴とする音響再生装置。
【請求項４】
車両に搭載され、複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
前記車両に搭載されている電子機器に記憶されている国・地域を識別する識別コードを検出する識別コード検出手段とを備え、
前記設定手段は、前記識別コード検出手段からの識別コードに基づいて運転席の位置を判断し、当該運転席の位置に基づいて各モードの音像を定位させる位置を決定し、モード毎に各スピーカで再生させる音響信号の増幅レベルおよび遅延時間を求めて記憶することを特徴とする音響再生装置。
【請求項５】
車両に搭載され、複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
運転席の位置を入力する位置入力手段とを備え、
前記設定手段は、前記位置入力手段から入力された運転席の位置に基づいて各モードの音像を定位させる位置を決定し、モード毎に各スピーカで再生させる音響信号の増幅レベルおよび遅延時間を求めて記憶することを特徴とする音響再生装置。
【請求項６】
車両に搭載され、複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
前記車両を構成する設備から運転席の位置情報を検出する位置情報検出手段とを備え、
前記設定手段は、前記位置情報検出手段で検出された位置情報に基づいて運転席の位置を判断し、当該運転席の位置に基づいて各モードの音像を定位させる位置を決定し、モード毎に各スピーカで再生させる音響信号の増幅レベルおよび遅延時間を求めて記憶することを特徴とする音響再生装置。
【請求項７】
車両に搭載され、複数のモード毎に異なる位置に音像を定位させる音響再生装置において、
複数のスピーカと、
再生すべき音響信号に増幅処理および遅延処理を施して前記各スピーカに出力する信号処理手段と、
前記複数のモードの中からいずれか１つのモードを選択するモード選択手段と、
モード毎に前記各スピーカの増幅レベルおよび遅延時間を記憶するとともに、前記モード選択手段の選択結果に基づいて、選択されたモードの増幅レベルおよび遅延時間を前記信号処理手段に設定する設定手段と、
特定モードにおいて音像を定位させる位置である基準位置から前記各スピーカまでの距離を入力する距離入力手段と、
車両に搭載される電子機器に記憶されている国・地域を識別する識別コードを検出する識別コード検出手段と
運転席の位置を入力する位置入力手段と
前記車両を構成する設備から運転席の位置情報を検出する位置情報検出手段とを備え、
前記設定手段は、運転席の位置を判断する判断材料として、前記位置情報検出手段からの位置情報と、前記位置入力手段からの位置と、前記識別コード検出手段からの識別コードと、前記距離入力手段からの距離に基づいて求めた基準位置から最も離れたスピーカの種類と、基準位置から離れている前方側スピーカの種類と、基準位置から離れている後方側スピーカの種類とを入力するとともに、判断材料に優先度を設定し、入力された判断材料のうち優先度の高い判断材料に基づいて運転席の位置を判断し、判断した運転席の位置に基づいて各モードの音像を定位させる位置を決定し、モード毎に各スピーカで再生させる音響信号の増幅レベルおよび遅延時間を求めて記憶することを特徴とする音響再生装置。
【請求項８】
前記増幅レベルおよび遅延時間を調整する調整手段をさらに備え、
前記設定手段は、前記調整手段の出力に基づいて、記憶している増幅レベルおよび遅延時間を変更することを特徴とする請求項１〜７のいずれかに記載の音響再生装置。
【請求項９】
前記設定手段は、前記基準位置から左右のスピーカまでの距離がほぼ同じであるモードが複数ある場合には、その複数のモードのうち、いずれか１つのモードだけを有効とし、有効としたモードについてだけ、求めた増幅レベルおよび遅延時間を記憶することを特徴とする請求項１〜８のいずれかに記載の音響再生装置。
【請求項１０】
前記設定手段は、前記基準位置から前後のスピーカまでの距離がほぼ同じであるモードが複数ある場合には、その複数のモードのうち、いずれか１つのモードだけを有効とし、有効としたモードについてだけ、求めた増幅レベルおよび遅延時間を記憶することを特徴とする請求項１〜９のいずれかに記載の音響再生装置。
【請求項１１】
聴取者が存在する位置を検出する聴取者位置検出手段と、
モードの自動選択機能の設定／解除を切換える切換手段とをさらに備え、
前記設定手段は、前記切換手段によってモードの自動選択機能が設定されているときは、前記聴取者位置検出手段の検出結果に基づいて前記複数のモードの中から最適なモードを選択し、選択したモードにおける各スピーカの増幅レベルおよび遅延時間を前記信号処理手段に設定し、自動選択機能が解除されているときは、前記モード選択手段の選択結果に基づいてモードを選択することを特徴とする請求項１〜１０のいずれかに記載の音響再生装置。
【請求項１２】
複数のモード毎に異なる位置に音像を定位させる音響再生装置において、
複数の出力位置から出力される音響信号に増幅処理および遅延処理を施す信号処理手段と、
前記複数のモードの中からいずれか１つのモードを選択するモード選択手段と、
モード毎に前記各音響信号の増幅レベルおよび遅延時間を記憶するとともに、前記モード選択手段の選択結果に基づいて、選択されたモードの増幅レベルおよび遅延時間を前記信号処理手段に設定する設定手段と、
前記複数のモード毎に音像を定位させる位置である基準位置から前記各出力位置までの距離を入力する距離入力手段とを備え、
前記設定手段は、前記距離入力手段から入力された距離に基づいて、モード毎に各音響信号の増幅レベルおよび遅延時間を求めて記憶することを特徴とする音響再生装置。
【請求項１３】
複数の出力位置から出力される音響信号の音像を複数のモード毎に異なる位置に定位させる音響再生方法であって、
複数のモード毎に、音像を定位させる位置である基準位置から前記各出力位置までの距離を入力する工程と、
入力された距離に基づいて、モード毎に各音響信号の増幅レベルおよび遅延時間を求めて記憶する工程と、
前記複数のモードの中からいずれか１つのモードを選択する工程と、
選択されたモードの増幅レベルおよび遅延時間に基づいて、複数の出力位置から出力される音響信号に増幅処理および遅延処理を施す工程と、を有することを特徴とする音響再生方法。
【手続補正３】
【補正対象書類名】明細書
【補正対象項目名】０００１
【補正方法】変更
【補正の内容】
【０００１】
【発明の属する技術分野】
本発明は、複数のモード毎に異なる位置に音像を定位させる音響再生装置および方法に関する。
【手続補正４】
【補正対象書類名】明細書
【補正対象項目名】０００７
【補正方法】変更
【補正の内容】
【０００７】
したがって本発明の目的は、車両の種類によらず、モード毎に最適な位置に音像を定位させることができる音響再生装置および方法を提供することである。
【手続補正５】
【補正対象書類名】明細書
【補正対象項目名】００２８
【補正方法】変更
【補正の内容】
【００２８】
請求項１１に係る発明に従えば、聴取者位置検出手段によって聴取者が存在する位置が検出されると、設定手段では、前記聴取者位置検出手段の検出結果に基づいて最適なモードが選択され、選択されたモードにおける増幅レベルおよび遅延時間が信号処理手段に設定される。これによって、聴取者はモードを選択するための操作をする必要がなくなり、操作性が向上する。また、切換手段によってモードの自動選択機能が設定されているときは、前記聴取者位置検出手段の検出結果が変更される毎にモードが選択されて切換えられ、解除されているときは、選択されているモードが維持される。これによって、聴取者の移動に追従させて音像を定位させる位置も移動させるか、聴取者が移動しても音像を定位させる位置を固定させたままとするかを、聴取者の好みに応じて選択することができる。
請求項１２に係る発明は、複数のモード毎に異なる位置に音像を定位させる音響再生装置において、
複数の出力位置から出力される音響信号に増幅処理および遅延処理を施す信号処理手段と、
前記複数のモードの中からいずれか１つのモードを選択するモード選択手段と、
モード毎に前記各音響信号の増幅レベルおよび遅延時間を記憶するとともに、前記モード選択手段の選択結果に基づいて、選択されたモードの増幅レベルおよび遅延時間を前記信号処理手段に設定する設定手段と、
前記複数のモード毎に音像を定位させる位置である基準位置から前記各出力位置までの距離を入力する距離入力手段とを備え、
前記設定手段は、前記距離入力手段から入力された距離に基づいて、モード毎に各音響信号の増幅レベルおよび遅延時間を求めて記憶することを特徴とする音響再生装置である。
請求項１２に係る発明に従えば、基準位置から各出力位置までの距離が、たとえば聴取者によって距離入力手段から入力されると、設定手段では、入力された距離に基づいてモード毎に各出力位置で出力させる音響信号の増幅レベルおよび遅延時間が求められて記憶される。たとえば聴取者がモード選択手段を操作して所望のモードを選択すると、選択されたモードの増幅レベルおよび遅延時間が、信号処理手段に設定される。各出力位置で再生させる音響信号は、信号処理手段において、設定された増幅レベルおよび遅延時間で増幅処理および遅延処理が施されて、各出力位置から出力される。これによって、モード毎に、各出力位置から出力される音響信号の出力音が、所定の音量およびタイミングで到達するような最適な位置に音像を定位させることができる。
請求項１３に係る発明は、複数の出力位置から出力される音響信号の音像を複数のモード毎に異なる位置に定位させる音響再生方法であって、
複数のモード毎に、音像を定位させる位置である基準位置から前記各出力位置までの距離を入力する工程と、
入力された距離に基づいて、モード毎に各音響信号の増幅レベルおよび遅延時間を求めて記憶する工程と、
前記複数のモードの中からいずれか１つのモードを選択する工程と、
選択されたモードの増幅レベルおよび遅延時間に基づいて、複数の出力位置から出力される音響信号に増幅処理および遅延処理を施す工程と、を有することを特徴とする音響再生方法である。
請求項１３に係る発明に従えば、基準位置から各出力位置までの距離を、たとえば聴取者が入力し、入力された距離に基づいてモード毎に各出力位置で出力させる音響信号の増幅レベルおよび遅延時間を求めて記憶する。たとえば聴取者が所望のモードを選択すると、選択したモードの増幅レベルおよび遅延時間に基づいて、各出力位置で出力させる音響信号に、増幅処理および遅延処理を施して、各出力位置から出力することができる。これによって、モード毎に、各出力位置から出力される音響信号の出力音が、所定の音量およびタイミングで到達するような最適な位置に音像を定位させることができる。
【手続補正６】
【補正対象書類名】明細書
【補正対象項目名】０１４４
【補正方法】変更
【補正の内容】
【０１４４】
また請求項９および１０に係る発明によれば、基準位置から左右または前後のスピーカまでの距離がほぼ同じである複数のモードのうち、有効としたモードについてだけ、求めた増幅レベルおよび遅延時間を記憶するので、不要なモードについてはこのような処理を行うことなく、モード毎に増幅レベルおよび遅延時間を求める作業を迅速に行うことができる。
【手続補正７】
【補正対象書類名】明細書
【補正対象項目名】０１４５
【補正方法】変更
【補正の内容】
【０１４５】
また請求項１１に係る発明によれば、聴取者はモードを選択するための操作をする必要がなくなり、操作性が向上する。また、聴取者の移動に追従させて音像を定位させる位置を移動させるか、聴取者が移動しても音像を定位させる位置を固定させたままとするかを、聴取者の好みに応じて選択することができる。
また請求項１２および１３に係る発明によれば、モード毎に、各出力位置から出力される音響信号の出力音が、所定の音量およびタイミングで到達するような最適な位置に音像を定位させることができる。